(57)【要約】【課題】無駄な電力消費を防ぐことを可能にする撮像装置を提供すること。【解決手段】撮像装置は、接眼可能なファインダと、前記ファインダに物体が近付いたことを検知するための近接検知手段と、外乱光の明るさを検出する照度検出手段と、前記ファインダに装着可能な前記ファインダを遮光する遮光物であって、前記ファインダに装着した際に前記照度検出手段を覆う構造となる前記遮光物と、前記ファインダに近づいた物体が前記遮光物か否かを判定する近接物体判定手段とを有し、前記近接物体判定手段によって近接物体が前記遮光物であると判定された場合は、前記ファインダの表示を消灯する。【選択図】図１
2018189857.tif 000002
【特許請求の範囲】
【請求項１】
接眼可能なファインダと、
前記ファインダに物体が近付いたことを検知するための近接検知手段と、
外乱光の明るさを検出する照度検出手段と、
前記ファインダに装着可能な前記ファインダを遮光する遮光物であって、前記ファインダに装着した際に前記照度検出手段を覆う構造となる前記遮光物と、
前記ファインダに近づいた物体が前記遮光物か否かを判定する近接物体判定手段と
を有し、
前記近接物体判定手段によって近接物体が前記遮光物であると判定された場合は、前記ファインダの表示を消灯することを特徴とする撮像装置。
【請求項２】
前記近接物体判定手段は、
前記照度検出手段によって検出された照度値が所定の閾値より小さい場合は、近接物体は前記遮光物であると判定してファインダの表示を消灯し、
前記照度検出手段によって検出された照度値が所定の閾値より大きい場合であって、前記近接検知手段が近接物体を検出した場合は、近接物体は前記遮光物でないと判定してファインダの表示を点灯し、
前記照度検出手段によって検出された照度値が所定の閾値より大きい場合であって、前記近接検知手段が近接物体を検出しない場合は、ファインダの表示を消灯することを特徴とする請求項１に記載の撮像装置。
【請求項３】
前記近接物体判定手段は、前記照度検出手段によって検出された照度値が、複数回所定の変動範囲内であれば、近接物体は前記遮光物であると判定することを特徴とする請求項１に記載の撮像装置。
【発明の詳細な説明】
【技術分野】
【０００１】
本発明は、電子ビューファインダなどの表示装置を有する撮像装置に関する。
【背景技術】
【０００２】
デジタルカメラやビデオカメラ等の撮像装置には、そのファインダとして電子ビューファインダ（以下、ＥＶＦという）を有するものがある。このＥＶＦ用の表示パネルは、液晶表示パネルや有機ＥＬパネルが一般的に使用されている。このような撮像装置における電子ビューファインダにおいて、ファインダの非使用ときに覗き込み用の接眼部からＥＶＦ用の表示パネルに太陽光が入射し、表示パネルの表面に焦点を結ぶと、表示パネルが焼けてしまう。特に、表示パネル前面に配置される偏光板が高輝度の光線に弱く、表示画質の低下、または表示不良箇所になってしてしまう。特に、接眼レンズ（ルーペレンズともいう）が高倍率になると、太陽光が集中されるので、損傷の恐れが大きい。
【０００３】
そこで、特許文献１では、接眼レンズを観察可能位置と観察不可能位置で移動させることができ、ＥＶＦを使用していないときは、観察不可能位置に接眼レンズを移動させている。
【０００４】
一方、撮像装置においては、ユーザーがファインダを使用しているかどうかを判別するために近接検知装置を有するものが知られている。近接検知装置の概略構成としては、投光部と受光部とを有し、投光部から赤外光を発し、受光部に到達した反射赤外光の量に応じて近接物体の有無を判別するものが一般的に知られている。例えば、近接検知装置によってユーザーがファインダを使用していないことが検知された場合は、不要な電力消費を回避するため、ファインダを消灯するようにしている。
【０００５】
また、有機ＥＬパネルは、時間の経過に従って輝度が劣化することが知られており、ユーザーがファインダを使用していない場合は、有機ＥＬパネルを点灯させないように制御することが望ましい。また、一眼フレックスタイプのデジタルカメラにおいては、近接検知装置によってユーザーがファインダを使用していることが検知された場合は、不要な電力消費を回避するため、背面の表示モニタを消灯するようにしている。なお、この近接検知装置は、外乱光の照度を検出する照度検出装置と一体となった部品が一般的に知られている。
【０００６】
特許文献２では、外乱光の照度が大きい場合の近接検知装置の誤検知を防止するため、近接検知されており照度値が所定の値より大きい場合と、離顔検知された場合は、背面の表示モニタを点灯している。
【先行技術文献】
【特許文献】
【０００７】
【特許文献１】特開２００３−１５３０４８号公報
【特許文献２】特開２０１３−１２５１９６号公報
【発明の概要】
【発明が解決しようとする課題】
【０００８】
しかしながら、特許文献１に記載された方法では、ファインダユニットが複雑となり大きくなってしまう。また、機構が複雑となってしまうため、コストを抑えることが難しい。そこで、簡単に太陽光による焼けを防ぐためには、ファインダユニットを遮光するフタを設けることが挙げられる。しかしながら、フタを装着すると近接物体と検知しＥＶＦを点灯してしまい、無駄な電力を消費してしまう。また、表示パネルが有機ＥＬの場合は、不要な点灯により輝度劣化を早めてしまう。
【０００９】
また、特許文献２に記載された方法では、近接物体が検知されない場合に表示モニタを点灯しているため、近接物体が検知された場合にファインダを点灯する本発明とは用途が異なる。
【００１０】
そこで、本発明は、近接物体が遮光用のフタであるか否かを判定し、近接物体が遮光用のフタである場合はファインダの消灯を行うことで、無駄な電力消費を防ぐことを可能にする撮像装置を提供することを目的とする。
【課題を解決するための手段】
【００１１】
上記の目的を達成するために、本発明に係る撮像装置は、
接眼可能なファインダと、前記ファインダに物体が近付いたことを検知するための近接検知手段と、外乱光の明るさを検出する照度検出手段と、前記ファインダに装着可能な前記ファインダを遮光する遮光物であって、前記ファインダに装着した際に前記照度検出手段を覆う構造となる前記遮光物と、前記ファインダに近づいた物体が前記遮光物か否かを判定する近接物体判定手段とを有し、前記近接物体判定手段によって近接物体が前記遮光物であると判定された場合は、前記ファインダの表示を消灯することを特徴とする。
【発明の効果】
【００１２】
本発明に係る撮像装置によれば、表示装置（例：ＥＶＦ）の無駄な電力の消費を防ぐことができ、有機ＥＬパネルを使用している場合は、輝度劣化を防止することができる。
【図面の簡単な説明】
【００１３】
【図１】第１の実施形態における撮像装置の構成の一例を示すブロック図である。
【図２】第１の実施形態における撮像装置の背面の外観の一例を示す図である。
【図３】ＥＶＦ１０５を遮光するフタの外観の一例を示す斜視図である。
【図４】ＥＶＦ１０５を遮光するフタを装着した撮像装置の背面の外観の一例を示す図である。
【図５】第１の実施形態におけるＥＶＦ１０５の表示制御手順の一例を示すフローチャートである。
【図６】第２の実施形態におけるＥＶＦ１０５の表示制御手順の一例を示すフローチャートである。
【図７】ＥＶＦ１０５への近接物体の種類に応じた照度値の一例を示す図である。
【発明を実施するための形態】
【００１４】
以下、図面を参照して本発明の実施形態を説明する。ただし、本発明は以下の実施形態に限定されるものではない。
【００１５】
［第１の実施形態］
まず、本発明の第１の実施形態における撮像装置の構成について説明する。本実施形態における撮像装置は、ＥＶＦ１０５近傍に設けられた照度センサ１１１の出力値に応じて、近接物が顔か遮光用のフタかを判定することができる。
【００１６】
図１は、本実施形態における撮像装置の構成の一例を示すブロック図である。図２は、本実施形態における撮像装置の背面の外観の一例を示す図である。
【００１７】
本実施形態における撮像装置は、撮像部１０１、カメラ信号処理部１０２、ビデオ信号処理部１０３、記録・再生部１０４、ＥＶＦ１０５、近接センサ１０６、操作部１０７、制御マイコン１０８、メモリ１０９、近接物判定部１１０、照度センサ１１１などから構成される。
【００１８】
制御マイコン１０８は、撮像装置全体の制御及び演算処理を司る中央処理装置である。フラッシュメモリ内に記憶される圧縮されたプログラムが解凍されてメモリ１０９に展開され、制御マイコン１０８はメモリ１０９内のプログラムに従って動作する。
【００１９】
メモリ１０９は、制御マイコン１０８のプログラムスタック領域、ステータス記憶領域、演算領域、ワーク用領域、画像表示データ用領域が確保されている。各種の演算は、メモリ１０９の演算領域を利用し、制御マイコン１０８により実行される。
【００２０】
撮像部１０１は、レンズユニットを通して結像された画像を電気信号に変換するための光電変換素子である。カメラ信号処理部１０２は、撮像部１０１から送られてきた電気信号の各種信号処理を施す。ビデオ信号処理部１０３の圧縮伸張処理方式は、モーションＪＰＥＧのような、１枚１枚のコマを独立して圧縮符号化する動画符号化方式でも構わないし、ＭＰＥＧのような、コマによって独立して圧縮符号化したり、前後のコマの差分をとって圧縮符号化したり、また、複数のコマから予測して圧縮符号化したりする動画符号化方式でも構わない。記録・再生部１０４は、ビデオ信号処理部１０３によって所定のフォーマットに圧縮された信号をメモリカード等の記録媒体に記録する。また、再生モード時には、メモリカード等に記録されている画像データを読み出す。
【００２１】
ＥＶＦ（電子ビューファインダ）１０５は、接眼可能なファインダであり、表示装置である。ＥＶＦ１０５は、撮像モード時にはスルー画像を表示する一方、再生モード時には選択された画像等を再生表示する。ＥＶＦ１０５は、筐体内に、ＥＶＦ用画像表示素子としての覗きこみ用の有機ＥＬパネルや液晶パネルと、覗き込み用の表示素子の前面に設けられ、表示画像を観察可能にするための図示しない接眼レンズで構成される。ＥＶＦ１０５への画像表示のＯＮ／ＯＦＦは制御マイコン１０８により制御している。
【００２２】
近接センサ１０６は、物体が近付いたことを検知することができるセンサである。近接センサ１０６は、赤外発光素子と受光素子で構成される。赤外発光素子は、赤外発光レンズ窓より所定の光量の赤外光を照射する。赤外発光レンズ窓より照射された赤外光が被検出物体で反射し、その反射分散した赤外光を受光レンズ窓で集光し、受光素子で光電変換を行う。受光素子で光電変換された電圧値が制御マイコン１０８に送られ、制御マイコン１０８では、その電圧値に対応した被検出物体との距離を算出する。ＥＶＦ１０５を覗きこんだときに表示をＯＮし、覗きこんでいないときには、表示をＯＦＦするために設けられている。
【００２３】
照度センサ１１１は、外乱光の照度を検出することができるセンサである。照度センサ１１１は、図示しない受光レンズ窓を通して受光素子が受光した光を光電変換することによって、外乱光の照度の大きさを検出する。近接センサ１０６及び照度センサ１１１はともに、ＥＶＦ１０５への接眼検知、及びＥＶＦ１０５周辺の照度検出に用いるため、図２に示すように、ＥＶＦ１０５の近傍に設置した構成とするのが望ましい。なお、近接センサ１０６と照度センサ１１１とが一体となった部品が一般的に知られている。
【００２４】
操作部１０７は、制御マイコン１０８に各種の動作指示を入力するための操作手段である。操作部１０７の各操作部材は、ＥＶＦ１０５に表示される種々の機能アイコンを選択操作することなどにより、場面ごとに適宜機能が割り当てられ、各種機能ボタンとして作用する。例えば、メニューボタンが押されると各種の設定可能なメニュー画面がＥＶＦ１０５に表示される。利用者は、表示されたメニュー画面と、上下左右の４方向に動かすことができる十字ボタンやＳＥＴボタンとを用いて直感的に各種設定を行うことができる。また、動画撮像開始及び終了を指示するＲＥＣボタンや、撮像した画像の再生及び停止を指示する再生ボタン、停止ボタンなどがある。
【００２５】
図３は、ＥＶＦ１０５を遮光するためのフタの外観の一例を示す斜視図である。
【００２６】
フタ３０１は、ＥＶＦ１０５に装着した際に、照度センサ１１１を、十分に遮光する構造となっている。例えば、フタ３０１の遮光面から筒状のものが伸び、照度センサ１１１のレンズ窓を覆うことで、光が入らないようにしている。このように、フタ３０１を装着した際に、照度センサ１１１を覆う構造であるため、検出される照度値は、約０．１ｌｘ程度である。一方、顔の場合は、しっかりと接眼状態を維持した場合でも、ＥＶＦ１０５が点灯しているため、その光が漏れ、検出される照度は数ｌｘ程度である。従って、閾値を被検出物体が顔の場合の照度値より小さく、フタ３０１を装着した際の照度値を大きい値に設定することで、被検出物体がフタ３０１であるか否かを判定可能となる。なお、図示されてはいないが、ＥＶＦ１０５にフタ３０１を左右逆に装着した場合でも、照度センサ１１１を必ず覆う構造となる。もしくは、一方向のみにしか装着できない構造であってもよい。図４は、フタ３０１を装着した撮像装置の背面の外観の一例を示す図である。図４に示すように、ＥＶＦ１０５を使用していないときは、フタ３０１を装着することで、太陽光によるＥＶＦ１０５の焼けを防ぐことができる。
【００２７】
近接物判定部１１０は、照度センサ１１１により検出される照度値から、近接物体がＥＶＦ１０５を遮光するフタ３０１であるか否かを判定する。
【００２８】
次に、照度センサ１１１の出力値に応じて近接物体が遮光用のフタか否かを判定し、ＥＶＦ１０５の表示制御を行う手順の一例を説明する。
【００２９】
図５は、照度センサ１１１の出力値に応じて、近接物体が遮光用のフタか否かを判定し、ＥＶＦ１０５の表示制御を行う手順の一例を示すフローチャートである。本手順で行われる処理は、制御マイコン１０８がプログラムを実行することによって制御される。
【００３０】
図５において、撮像装置の電源が投入されると、Ｓ５０１では、照度センサ１１１で取得した照度値が所定の閾値未満であるか否かを判定する。所定の閾値未満の場合は、Ｓ５０３へ進み、所定の閾値以上の場合は、Ｓ５０２へ進む。ここで、所定の閾値とは、フタ３０１を装着したことを検出するための閾値である。Ｓ５０３では、閾値未満であるため、近接物体はフタ３０１であると判定し、ＥＶＦ１０５を消灯し、Ｓ５０５へ進む。Ｓ５０２では、近接センサ１０６の出力値から制御マイコン１０８により算出された被検出物体との距離が所定の閾値未満であるか否かを判定する。所定の閾値未満の場合は、Ｓ５０４へ進み、所定の閾値以上の場合は、Ｓ５０３へ進む。ここでの所定の閾値とは、ＥＶＦ１０５の近傍に被検出物体があるか否かを判定する閾値である。Ｓ５０３では、ＥＶＦ１０５の近傍に被検出物体が存在しないため、ＥＶＦ１０５を消灯し、Ｓ５０５へ進む。Ｓ５０４では、取得した照度値がフタ３０１を装着した際より高いため、ＥＶＦ１０５の近傍の被検出物は顔であると判定し、ＥＶＦ１０５を点灯し、撮像画像や再生画像を確認可能にする。そして、Ｓ５０５へ進む。Ｓ５０５では、撮像装置の電源が切断されたか否かを判定し、撮像装置の電源が切断されて制御が終了するまで、Ｓ５０１の処理を繰り返す。撮像装置の電源が切断されると、本手順は終了する。
【００３１】
このように、本実施形態における撮像装置によれば、照度センサ１１１を用いて、近接センサ１０６の被検出物体が遮光用のフタか顔かを判定し、フタである場合は、ＥＶＦ１０５を消灯することで、無駄な電力の消費を防ぐことができ、有機ＥＬパネルを使用している場合は、輝度劣化を防止することができる。
【００３２】
［第２の実施形態］
次に、本発明の第２の実施形態を説明する。本実施形態では、ＥＶＦ１０５の表示制御を行う手順について説明する。本実施形態では、ＥＶＦ１０５近傍に設けられた照度センサ１１１の出力値の変動に応じて近接物が顔か遮光用のフタかを判定し、ＥＶＦ１０５の表示制御を変更することができる。
【００３３】
本実施形態における撮像装置の構成は、第１の実施形態における撮像装置の構成と同一であるので、その説明を省略する。
【００３４】
図６は、照度センサ１１１及び近接センサ１０６の出力値に応じて、近接物体が遮光用のフタか否かを判定し、ＥＶＦ１０５の表示制御を行う手順の一例を示すフローチャートである。本手順で行われる処理は、制御マイコン１０８がプログラムを実行することによって制御される。
【００３５】
図６において、撮像装置の電源が投入されると、Ｓ６０１では、照度センサ１１１での照度値検出回数ｎの値を０とし、Ｓ６０２へ進む。Ｓ６０２では、近接センサ１０６の出力値から制御マイコン１０８により算出された被検出物体との距離が所定の閾値未満であるか否かを判定する。所定の閾値未満の場合は、Ｓ６０３へ進み、所定の閾値以上の場合は、Ｓ６１１へ進む。ここでの所定の閾値とは、ＥＶＦ１０５の近傍に被検出物体があるか否かを判定する閾値である。Ｓ６１１では、ＥＶＦ１０５の近傍に被検出物体が存在しないため、ＥＶＦ１０５を消灯し、Ｓ６１２へ進む。
【００３６】
Ｓ６０３では、ＥＶＦ１０５の近傍に被検出物体が存在することになり、照度センサ１１１で照度値を取得し、Ｓ６０４へ進む。Ｓ６０４では、取得した照度値の検出回数をｎ＝ｎ＋１としＳ６０５へ進む。Ｓ６０５では、照度値検出回数ｎが所定の回数αより大きいか否かを検出する。照度値検出回数ｎが所定の回数αより大きい場合は、Ｓ６０６へ進み、α以下である場合は、Ｓ６０２へ進み処理を繰り返す。所定の回数αは、２以上であれば何回であっても良い。Ｓ６０６では、照度値検出回数ｎ＝１〜αで測定された、照度値の最大値−最小値が所定の範囲内であるか否かを判定する。この値が所定の範囲内である場合は、Ｓ６０７へ進み、所定の範囲外である場合は、Ｓ６０９へ進む。
【００３７】
図７は、ＥＶＦ１０５への近接物体の種類に応じた照度値の一例を示す図である。
【００３８】
図７に示すように、近接物体が、ＥＶＦ１０５を遮光するフタ３０１である場合は、照度センサ１１１を覆う構造となっているため、検出される照度値は一定となる。一方、顔の場合は、しっかりと接眼状態を維持した場合でも、隙間からの漏れ光や、撮像している被写体の変化によりＥＶＦ１０５の明るさが変わり、照度値は一定とならず振れ幅が生じる。従って、上記の所定の範囲とは、ＥＶＦ１０５への近接物体が顔の場合の振れ幅より小さく設定することにより、近接物体がフタ３０１であるか顔であるかを判定可能となる。図７で示される照度値は一例であり、ＥＶＦ１０５筺体の構成と照度センサ１１１の配置位置、フタの構造により異なる。
【００３９】
Ｓ６０７では、照度値の最大値−最小値が所定の範囲内であるため、被検出物体はフタ３０１であると判定し、Ｓ６０８へ進む。Ｓ６０８では、ＥＶＦ１０５の近傍の近接物体がフタ３０１であるため、ＥＶＦ１０５を消灯し、Ｓ６１２へ進む。Ｓ６０９では、照度値の最大値−最小値が所定の範囲外であるため、近接物体は顔であると判定し、Ｓ６１０へ進む。Ｓ６１０では、ＥＶＦ１０５の近傍の近接物体が顔であるため、ＥＶＦ１０５を点灯し、撮像画像や再生画像を確認可能にする。そして、Ｓ６１２へ進む。Ｓ６１２では、撮像装置の電源が切断されたか否かを判定し、撮像装置の電源が切断されて制御が終了するまで、Ｓ６０１の処理を繰り返す。撮像装置の電源が切断されると、本手順は終了する。
【００４０】
このように、本実施形態における撮像装置によれば、照度値の変動を観測することで、近接センサ１０６の被検出物体が遮光用のフタか顔かを判定し、フタである場合は、ＥＶＦ１０５を消灯することで、無駄な電力の消費を防ぐことができ、有機ＥＬパネルを使用している場合は、輝度劣化を防止することができる。
【００４１】
なお、本発明は上述の実施形態に限られるものではない。上述の実施形態は、発明の要旨を逸脱しない範囲で様々な修正又は変形が可能である。
【符号の説明】
【００４２】
１０１  撮像部、１０２  カメラ信号処理部、１０３  ビデオ信号処理部、
１０４  記録・再生部、１０５  ＥＶＦ、１０６  近接センサ、１０７  操作部、
１０８  制御マイコン、１０９  メモリ、１１０  近接物判定部、１１１  照度センサ
【図１】
2018189857.tif 000003
【図２】
2018189857.tif 000004
【図３】
2018189857.tif 000005
【図４】
2018189857.tif 000006
【図５】
2018189857.tif 000007
【図６】
2018189857.tif 000008
【図７】
2018189857.tif 000009